(57)【要約】【課題】タイムシフト録画機能を備えたテレビ放送録画装置において、ユーザが番組視聴時のＣＭ中に離席し、ＣＭ中に戻れずに見逃した番組の続きをＣＭをスキップして視聴できるようにする。【解決手段】テレビ放送録画装置は、テレビ受信信号から映像音声信号を復調する映像音声復調部、この映像音声信号を録画する映像音声記録部、及び装置全体を制御するＣＰＵを備える。ＣＰＵは、ユーザが一時停止キーでタイムシフト録画開始を指示した時に（Ｓ１でＹＥＳ）、時限タイムシフト機能がオンに設定されていた場合は（Ｓ２でＹＥＳ）、ＣＭ中であれば（Ｓ３でＹＥＳ）、タイムシフト録画を待ち状態にし（Ｓ４）、ＣＭが終わると（Ｓ５でＹＥＳ）、タイムシフト録画を開始させる（Ｓ６）。これにより、ユーザは番組視聴時のＣＭ中に離席し、ＣＭ中に戻れずに見逃した番組の続きをＣＭをスキップして視聴できるようになる。【選択図】図３
2008312131.tif 000002
【特許請求の範囲】
【請求項１】
テレビ放送信号を受信して映像信号及び音声信号を含む受信信号を得る受信手段と、
前記受信手段により受信された受信信号を記録する記録手段と、
前記受信手段により受信された受信信号、及び前記記録手段に記録された受信信号を再生する再生手段とを備え、
前記記録手段に受信信号を記録しながら、前記記録手段に記録された受信信号を再生可能なテレビ放送録画装置において、
前記受信手段により受信中のテレビ放送信号の再生を一時停止状態にして、前記受信手段により受信されたテレビ放送信号を前記記録手段に記録開始させる処理であるタイムシフト録画処理の実行を指示するためのタイムシフト録画指示手段と、
前記タイムシフト録画処理の実行を制御するためのタイムシフト録画制御手段と、
前記受信手段により受信された受信信号からコマーシャルの放送信号を検出するＣＭ放送検出手段と、
前記ＣＭ放送検出手段によりコマーシャルの放送信号が検出されているときに、前記タイムシフト録画指示手段を用いてユーザによりタイムシフト録画処理の実行が指示されると、前記ＣＭ放送検出手段によりコマーシャルの放送信号が検出されなくなるまで、前記タイムシフト録画処理の実行開始を待つように制御する時限タイムシフト制御手段とをさらに備えたことを特徴とするテレビ放送録画装置。
【請求項２】
前記時限タイムシフト制御手段によるタイムシフト録画処理の実行開始を待つ機能のオン／オフを選択するための時限タイムシフト機能選択手段をさらに備えたことを特徴とする請求項１に記載のテレビ放送録画装置。
【請求項３】
前記タイムシフト録画指示手段によるタイムシフト録画処理の実行指示の解除を指示するためのタイムシフト録画解除指示手段をさらに備え、
前記ＣＭ放送検出手段によりコマーシャルの放送信号が検出されているときに、前記タイムシフト録画指示手段を用いてユーザによりタイムシフト録画処理の実行が指示されたときでも、前記ＣＭ放送検出手段によりコマーシャルの放送信号が検出されなくなる前に、前記タイムシフト録画解除指示手段によりタイムシフト録画処理の実行指示の解除が指示されたときは、前記タイムシフト録画処理の実行を中止することを特徴とする請求項２に記載のテレビ放送録画装置。
【請求項４】
前記タイムシフト録画指示手段を用いてユーザによりタイムシフト録画処理の実行が指示されると、前記タイムシフト録画制御手段は、その時点で前記記録手段に記録された受信信号に含まれる映像信号を静止画像で表示することを特徴とする請求項３に記載のテレビ放送録画装置。
【発明の詳細な説明】
【技術分野】
【０００１】
本発明は、タイムシフト録画機能を備えたテレビ放送録画装置において、ユーザが番組視聴時のＣＭ放送中に離席し、ＣＭ放送中に戻れずに見逃した番組を後から直ぐ視聴できるようにするテレビ放送録画装置に関する。
【背景技術】
【０００２】
近年、受信したテレビ放送信号を録画しながら再生できる（これを追いかけ再生という）機能を備えた録画再生装置が普及してきている。このような録画再生装置において、ユーザが放送番組を視聴の途中に、その場を離れるときに、例えば、一時停止ボタンを押しておけば、視聴中の放送番組を録画できると共に、再びその場に戻ってきたときに、再生ボタン又は一時停止ボタンを押下すると、視聴していた番組を一時停止した時点に遡って引き続き連続して視聴することができる、タイムシフト録画機能を備えたものがある。
【０００３】
しかしながら、このような従来の録画再生装置では、タイムシフト録画したとき、番組放送と共に、コマーシャル放送（ＣＭ放送という）も一緒に連続して録画される。従って、例えば、ユーザが、ＣＭ放送中に離席するとき、タイムシフト録画のために一時停止ボタンを押すと、ＣＭ放送が先に録画され、ＣＭ放送が終わってから番組放送が録画される。このため、ユーザが、ＣＭ放送が終わって既に番組放送が始まってから再びその場に戻ってきたときに、再生ボタン又は一時停止ボタンを押して番組の続きを見ようとすると、先に録画されているＣＭ放送から見なければならなかった。このため、このＣＭ放送部分を飛ばして番組部分を見たい場合には、リモコン操作等でＣＭ放送部分を早送り再生するなどして、スキップ操作する必要があり、手間が掛かっていた。
【０００４】
ところで、受信信号から特定の識別信号を検出して記録を途中で中断すると共に、中断したデータ位置に応じた中断位置情報を抽出し、記録再開時にその中断位置情報に基づき記録を再開することで、ＤＶＤを含む光学的情報記録媒体におけるＣＭスキップ機能を形成した情報記録装置が知られている（例えば、特許文献１参照）。また、映像または音声情報と、所定の記録媒体に記録されているＣＭ放送の映像または音声情報との同一性を検出し、この検出結果に基いて、ＣＭ放送を判定して、放送番組に含まれるＣＭ放送部分を削除して記録する情報処理装置が知られている（例えば、特許文献２参照）。
【０００５】
しかしながら、上記特許文献１及び特許文献２に示された各装置は、放送番組の映像信号をＤＶＤ等の記録媒体に録画する際に、放送番組に含まれるＣＭ放送部分をスキップ又は削除して録画するものであり、タイムシフト録画できるものでない。従って、ユーザは、視聴中に一時的に視聴場所を離れて戻ってきたときに、視聴途中であった番組を、その視聴途中から直ぐに連続して視聴することが困難であった。
【特許文献１】特開２００３−２８１８５５号公報
【特許文献２】特開２００４−３２８３０６号公報
【発明の開示】
【発明が解決しようとする課題】
【０００６】
本発明は、上記の問題を解決するためになされたものであり、タイムシフト録画機能を備えたテレビ放送録画装置において、ユーザが番組視聴時のＣＭ放送中に視聴場所を離席し、ＣＭ放送中に戻れずに見逃した番組の続きを、ＣＭ放送部分を自動的にスキップして視聴できるテレビ放送録画装置を提供することを目的とする。
【課題を解決するための手段】
【０００７】
上記目的を達成するために請求項１の発明は、テレビ放送信号を受信して映像信号及び音声信号を含む受信信号を得る受信手段と、前記受信手段により受信された受信信号を記録する記録手段と、前記受信手段により受信された受信信号、及び前記記録手段に記録された受信信号を再生する再生手段とを備え、前記記録手段に受信信号を記録しながら、前記記録手段に記録された受信信号を再生可能なテレビ放送録画装置において、前記受信手段により受信中のテレビ放送信号の再生を一時停止状態にして、前記受信手段により受信されたテレビ放送信号を前記記録手段に記録開始させる処理であるタイムシフト録画処理の実行を指示するためのタイムシフト録画指示手段と、前記タイムシフト録画処理の実行を制御するためのタイムシフト録画制御手段と、前記受信手段により受信された受信信号からコマーシャルの放送信号を検出するＣＭ放送検出手段と、前記ＣＭ放送検出手段によりコマーシャルの放送信号が検出されているときに、前記タイムシフト録画指示手段を用いてユーザによりタイムシフト録画処理の実行が指示されると、前記ＣＭ放送検出手段によりコマーシャルの放送信号が検出されなくなるまで、前記タイムシフト録画処理の実行開始を待つように制御する時限タイムシフト制御手段とをさらに備えたものである。
【０００８】
請求項２の発明は、請求項１に記載のテレビ放送受信装置において、前記時限タイムシフト制御手段によるタイムシフト録画処理の実行開始を待つ機能のオン／オフを選択するための時限タイムシフト機能選択手段をさらに備えたものである。
【０００９】
請求項３の発明は、請求項１又は請求項２に記載のテレビジョン受像装置において、前記タイムシフト録画指示手段によるタイムシフト録画処理の実行指示の解除を指示するためのタイムシフト録画解除指示手段をさらに備え、前記ＣＭ放送検出手段によりコマーシャルの放送信号が検出されているときに、前記タイムシフト録画指示手段を用いてユーザによりタイムシフト録画処理の実行が指示されたときでも、前記ＣＭ放送検出手段によりコマーシャルの放送信号が検出されなくなる前に、前記タイムシフト録画解除指示手段によりタイムシフト録画処理の実行指示の解除が指示されたときは、前記タイムシフト録画処理の実行を中止するものである。
【００１０】
請求項４の発明は、請求項１又は請求項３のいずれか一項に記載のテレビ放送受信装置において、前記タイムシフト録画指示手段を用いてユーザによりタイムシフト録画処理の実行が指示されると、前記タイムシフト録画制御手段は、その時点で前記記録手段に記録された受信信号に含まれる映像信号を静止画像で表示するものである。
【発明の効果】
【００１１】
請求項１の発明によれば、ユーザの指示によりタイムシフト録画処理を行えると共に、時限タイムシフト制御により、コマーシャル放送が検出されているときに、ユーザがタイムシフト録画処理を指示すると、コマーシャル放送が終わるまで、記録手段におけるタイムシフト録画処理の実行開始を待たせることができる。従って、ユーザは、テレビ番組の視聴時においてＣＭ放送が始まったときに、タイムシフト録画処理を指示しておけば、ＣＭ放送中はタイムシフト録画処理を行わないようにできるので、ＣＭ放送は録画されず、ＣＭ放送が終わってからタイムシフト録画処理を開始できる。これにより、ユーザが放送番組視聴時のＣＭ放送中にタイムシフト録画処理の実行を指示し、一時的に視聴場所を離席して戻ってきたときに、ＣＭ放送が既に終わって放送番組が始まっていても、視聴していた放送番組がＣＭ放送が終わった時点からタイムシフト録画されているので、このタイムシフト録画からユーザが視聴していた離席前の放送番組の続きを、ＣＭ放送部分を自動的にスキップして、直ぐに視聴することができる。また、ＣＭ放送を記憶しないので、放送番組の記録に用いるハードディスク等の記録媒体の空き領域をより多く確保することができ、記録媒体の記録容量を節約できる。
【００１２】
請求項２の発明によれば、タイムシフト録画処理の実行開始を待つ時限タイムシフト機能のオン／オフを選択することができるので、ユーザは、ＣＭ放送中に離席する場合などに、必要に応じて時限タイムシフト機能を選択することができる。
【００１３】
請求項３の発明によれば、ＣＭ放送が終わる前にタイムシフト録画処理の実行を解除できるので、ユーザがＣＭ放送中に時限タイムシフト制御によるタイムシフト録画処理を指示して離席した後、ＣＭ放送中に席に戻れた場合に、タイムシフト録画処理を行わないようにすることができる。これにより、ユーザは、ＣＭ放送後に録画するように設定されたタイムシフト録画処理を中止することができるので、ＣＭ放送後の余分な録画を事前に防止できる。
【００１４】
請求項４の発明によれば、タイムシフト録画処理を実行した時に、その時点で録画された受信信号の映像信号を静止画像で表示できるので、タイムシフト録画の映像を再生する際に、再生する番組の内容及び場面を確認することができる。
【発明を実施するための最良の形態】
【００１５】
以下、本発明の一実施形態に係るテレビ放送録画装置について、図面を参照して説明する。図１は、本テレビ放送録画装置１の電気ブロック図を示す。図１に示すように、本実施形態のテレビ放送録画装置１は、アンテナ２、チューナ部（受信手段）３、リモコン装置４、リモコン受信部５、映像音声復調部（受信手段）６、映像音声記録部７（記憶手段）、映像音声切替部８、映像音声信号処理部９（再生手段）、ＯＳＤ部（オンスクリーンディスプレイ）１０、表示部１１、スピーカ１２、ＣＰＵ（制御手段）１３、及びメモリ部１４を備える。
【００１６】
アンテナ２は、複数のテレビ放送信号を受信し、チューナ部３は、アンテナ２で受信した複数のテレビ放送信号からリモコン装置４で選択された受信チャンネルを選局し、映像音声復調部６は、この選局されたチャンネルのテレビ放送信号から映像信号と音声信号を含む映像音声信号を復調し、この復調された映像音声信号は、映像音声記録部７と映像音声切替部８に供給される。
【００１７】
映像音声記録部７は、ハードディスク、ＤＶＤ−ＲＡＭ、及び半導体メモリ等の映像信号及び音声信号を記録する記憶媒体を備え、これらの記憶媒体に映像音声復調部６からの映像音声信号を記録（以降、録画という）する。また、この映像音声記録部７は、映像音声信号を録画しながら再生できる機能（追いかけ再生機能）を備え、ユーザによるリモコン装置４のリモコン操作でテレビ番組などの録画中に、すでに録画済みの番組を番組冒頭等から再生することができる。また、この映像音声記録部７で録画された映像音声信号は、映像音声切替部８に供給される。また、映像音声記録部７は、後述のタイムシフト録画開始のときの一時停止時に、受信信号に含まれる映像信号の静止画像を記録することができる。
【００１８】
映像音声切替部８は、映像音声復調部６から供給される映像音声信号と、映像音声記録部７から供給される映像音声記録部７に録画された映像音声信号との、いずれかの映像音声信号を切替えて出力する。この映像音声切替部８から出力された映像音声信号は、映像音声信号処理部９に供給される。
【００１９】
映像音声信号処理部９は、映像音声切替部８からの映像音声信号を映像信号と音声信号に分けて再生処理し、映像信号については、ＲＧＢ信号の映像信号に変換して、この変換したＲＧＢ信号をＯＳＤ部１０に加える。ＯＳＤ部１０は、このＲＧＢ信号の映像信号に、設定メニュー画面等を重畳して、液晶ディスプレイ等からなる表示部１１に表示する。また、映像音声信号処理部９は、再生処理して得られた音声信号を、さらにステレオ音声信号等にデコードし、このデコードされた音声信号は、スピーカ１２から拡声される。
【００２０】
リモコン装置４は、メニューキー４ａ、一時停止キー４ｂ（タイムシフト録画指示手段）、再生キー４ｃ、時限タイムシフト設定キー（時限タイムシフト機能選択手段）４ｄ、及び解除キー（タイムシフト録画解除指示手段）４ｅを有している。
【００２１】
メニューキー４ａは、設定メニューのメニュー画面（不図示）を表示するために用いられる。一時停止キー４ｂは、受信中のテレビ放送信号を映像音声復調部６で復調した映像音声信号の映像音声信号処理部９におけるデコード再生を一時停止状態にして、この復調した映像音声信号を映像音声記録部７に記録開始させる処理であるタイムシフト録画処理の実行を指示するために用いられる。この一時停止状態では、この時点で、映像音声記録部７に記録された受信信号に含まれる映像信号を静止画像で表示することができる。再生キー４ｃは、タイムシフト録画した映像を再生するために用いられる。時限タイムシフト設定キー４ｄは、時限タイムシフト制御部１３ｃによるタイムシフト録画処理の実行開始を待つ時限タイムシフト機能のオン／オフの選択に用いられる。解除キー４ｅは、一時停止キー４ｂによるタイムシフト録画処理の実行指示の解除の指示に用いられる。
【００２２】
ＣＰＵ１３は、本装置１全体を制御すると共に、図２に示すように、タイムシフト録画制御部（タイムシフト録画制御手段）１３ａ、ＣＭ放送検出部（ＣＭ放送検出手段）１３ｂ、時限タイムシフト制御部（時限タイムシフト制御手段）１３ｃを備える。タイムシフト録画制御部１３ａは、タイムシフト録画処理の実行を制御する。
【００２３】
ＣＭ放送検出部１３ｂは、チューナ部３により受信されたテレビ放送信号からＣＭ放送信号を検出する。このＣＭ放送検出部１３ｂにおけるＣＭ放送の検出は、例えば、ＣＭ放送の音声信号が、ステレオ放送、又は２ヶ国語放送であることを利用することにより行うことが可能である。具体的には、チューナ部３で受信されたテレビ放送信号から映像音声復調部６で復調した映像音声信号の音声信号において、ステレオ放送、又は２ヶ国語放送の識別信号を検出することにより行うことができる。また、テレビ放送信号にＥＰＧ信号を含んでいる場合には、ＥＰＧ信号から番組の切替わる時間を検出して、少なくとも番組と番組の間に入るＣＭ放送については、番組切替の前後における音量の変化等を検出して、ＣＭ放送を検出することが可能であり、また、同じ番組内のＣＭ放送については、予めＣＭ放送時間帯を予想してタイムシフト録画の時間を設定することもできる。
【００２４】
時限タイムシフト制御部１３ｃは、ＣＭ放送検出部１３ｂによりＣＭ放送信号が検出されているときに、一時停止キー４ｂを用いて、ユーザによりタイムシフト録画処理の実行が指示されると、ＣＭ放送検出部１３ｂによりＣＭ放送信号が検出されなくなるまで、タイムシフト録画処理の実行開始を待つように制御する。
【００２５】
メモリ部１４は、ＣＰＵ１４が実行する各種制御動作に必要なプログラム等を記憶するＲＯＭ、ＲＡＭ及び不揮発性メモリ等の半導体メモリからなり、リモコン操作により表示部１１に表示される設定メニュー画面情報等を記憶する。
【００２６】
上記構成のテレビ放送録画装置１において、ＣＰＵ１３は、ユーザが一時停止キー４ｂによりタイムシフト録画処理の実行を指示すると、タイムシフト録画制御部１３ａにより、受信中の映像音声復調部６により復調された映像音声信号の映像音声信号処理部９におけるデコード再生を一時停止状態にして、この復調された映像音声信号を映像音声記録部７に記録開始させるタイムシフト録画処理を実行させる。
【００２７】
そして、ＣＰＵ１３は、ユーザが予め時限タイムシフト設定キー４ｄで時限タイムシフト機能を選択すると、時限タイムシフト制御部１３ｃにより、ＣＭ放送検出部１３ｂにおいてＣＭ放送信号が検出されているときに、一時停止キー４ｂを用いて、ユーザによりタイムシフト録画処理の実行が指示されると、ＣＭ放送検出部１３ｂにおいてＣＭ放送信号が検出されなくなるまで、タイムシフト録画処理の実行開始を待つようにタイムシフト録画制御部１３ａを制御する。これにより、ＣＰＵ１３は、映像音声記録部７において、ＣＭ放送中はタイムシフト録画を実行せず、ＣＭ放送が終わってからタイムシフト録画を実行するようにすることができる。従って、ＣＭ放送中は、ＣＭ放送を録画することがないので、ユーザは、タイムシフト録画した放送番組を再生したときに、ＣＭ放送無しで、直ぐに放送番組を視聴することができる。
【００２８】
また、ＣＰＵ１３は、ＣＭ放送検出部１３ｂによりＣＭ放送信号が検出されているときに、一時停止キー４ｂを用いて、ユーザによりタイムシフト録画処理の実行が指示されたときでも、ＣＭ放送検出部１３ｂによりＣＭ放送信号が検出されなくなる前に、解除キー４ｅを用いて、ユーザによりタイムシフト録画処理の実行指示の解除が指示されたときは、タイムシフト録画処理の実行を中止させることができる。これにより、ユーザは、一時停止キー４ｂを用いて時限タイムシフト録画を指示した状態で離席し、ＣＭ中に戻った場合などに、タイムシフト録画を中止することができる。
【００２９】
また、ＣＰＵ１３は、タイムシフト録画制御部１３ａにより、受信中のテレビ放送信号の再生の一時停止時に、映像音声記録部７に記録された受信信号に含まれる映像信号を静止画像で表示することができる。これにより、視聴している放送番組中の、どの場面からタイムシフト録画が開始されたかを確認することができる。
【００３０】
次に、本実施形態のテレビ放送録画装置１の動作手順について、図３を参照して説明する。ＣＰＵ１３は、ユーザがリモコン装置４の一時停止キー４ｂでタイムシフト録画の開始操作を行ったときに（Ｓ１でＹＥＳ）、事前に時限タイムシフト機能がオンに設定されていた場合は（Ｓ２でＹＥＳ）、ＣＭ放送検出部１３ｂによりＣＭ放送を検出しているＣＭ放送中の場合は（Ｓ３でＹＥＳ）、時限タイムシフト制御部１３ｃによりタイムシフト録画制御部１３ａを制御して、タイムシフト録画をスタンバイ状態にする（Ｓ４）。そして、ＣＰＵ１３は、ＣＭ放送検出部１３ｂでＣＭ放送の終了を検出した場合は（Ｓ５でＹＥＳ）、映像音声記録部７でタイムシフト録画を開始し（Ｓ６）、受信中の映像音声信号の映像音声信号処理部９における再生を一時停止状態にして、一時停止した時点で映像音声記録部７に記録された受信画像を静止画像で表示する（Ｓ７）。
【００３１】
そして、ＣＰＵ１３は、ユーザが、タイムシフト録画で録画された映像の再生を選択したときは（Ｓ８でＹＥＳ）、映像音声記録部７におけるタイムシフト録画の画像を映像音声信号処理部９で再生して、再生した映像信号を表示部１１に表示する（Ｓ９）。また、ＣＰＵ１３は、Ｓ１でＮＯのときは、そのまま終了し、Ｓ２及びＳ３でＮＯのときは、Ｓ６に移行する。また、ＣＰＵ１３は、Ｓ５でＮＯの場合に、解除キー４ｅを用いて、ユーザがタイムシフト録画を解除すると（Ｓ１０でＹＥＳ）、タイムシフト録画を中止し（Ｓ１１）、通常の放送番組の視聴に戻り、Ｓ１０でＮＯのときは、Ｓ５に戻る。また、ＣＰＵ１３は、Ｓ８でＮＯのときは、Ｓ７に戻る。
【００３２】
これにより、上記テレビ放送録画装置１は、タイムシフト録画機能と共に、時限タイムシフト機能を備えたことにより、ユーザが、予め時限タイムシフト設定キー４ｄで、時限タイムシフト機能をオンにして、放送番組視聴中のＣＭ放送の間に、一時停止キー４ｂによりタイムシフト録画処理を指示すると、時限タイムシフト制御部１３ｃによりＣＭ放送が終わって番組が始まった時点からタイムシフト録画を開始するように映像音声記録部７を制御することができる。また、ＣＭ放送中でも、タイムシフト録画を解除することができるので、タイムシフト録画が不必要の場合は、ＣＭ放送が終わる前に、事前にタイムシフト録画を中止することができる。また、タイムシフト録画の再生時において、再生を一時停止状態したときに、再生画像を静止画像で表示できるので、再生される番組の場面を予め確認することができる。
【００３３】
上述のように、本実施形態のテレビ放送録画装置１によれば、ユーザの指示によりタイムシフト録画処理を行えると共に、時限タイムシフト制御により、ＣＭ放送が検出されているときに、ユーザがタイムシフト録画処理を指示すると、ＣＭ放送が終わるまで、タイムシフト録画処理の実行開始を待たせることができる。従って、ユーザは、テレビ番組の視聴時においてＣＭ放送が始まったときに、タイムシフト録画処理を指示しておけば、ＣＭ放送中はタイムシフト録画処理を行わないようにできるので、ＣＭ放送は録画されず、ＣＭ放送が終わってからタイムシフト録画処理を開始できる。これにより、ユーザが放送番組視聴時のＣＭ放送中にタイムシフト録画処理の実行を指示し、一時的に視聴場所を離席して戻ってきたときに、ＣＭ放送が既に終わって放送番組が始まっていても、視聴していた放送番組がＣＭ放送が終わった時点からタイムシフト録画されているので、このタイムシフト録画からユーザが視聴していた離席前の放送番組の続きを、ＣＭ放送部分を自動的にスキップして、直ぐに視聴することができる。従って、例えば、ＣＭ放送の間に離席して用事をしていて、ＣＭ放送の間に用事が終わらずＣＭ放送中に戻れなかったときでも、見逃した視聴中の番組を、迅速に確実に視聴することができる。また、ＣＭ放送を記憶しないので、放送番組の記録に用いられるハードディスク等の記録媒体の空き領域をより多く確保することができ、記録媒体の記録容量を節約できる。
【００３４】
また、タイムシフト録画処理の実行開始を待つ時限タイムシフト機能のオン／オフを選択することができるので、ユーザは、ＣＭ放送中に離席する場合などに、必要に応じて時限タイムシフト機能を選択することができる。
【００３５】
またＣＭ放送が終わる前にタイムシフト録画処理の実行を解除できるので、ユーザがＣＭ放送中に時限タイムシフト制御によるタイムシフト録画処理を指示して離席した後、ＣＭ放送中に席に戻れた場合に、タイムシフト録画処理を行わないようにすることができる。
【００３６】
また、タイムシフト録画を実行した時に、その時点で録画された受信信号の映像信号が静止画像で表示されるので、タイムシフト録画の映像を再生する際に、再生する番組の内容及び場面を確認することができる。
【００３７】
なお、本発明は各種の実施形態により実現されるが、これらに限られることなく、発明の趣旨を逸脱しない範囲において、任意に変更することができる。例えば、本実施形態では、タイムシフト録画において、ＣＭ放送検出部でＣＭ放送の終わりを検出して、タイムシフト録画処理の指示時に放送されていたＣＭ放送をスキップするようにしたが、ＣＭ放送検出部でＣＭ放送の始まりと終わりの両方を検出することにより、ＣＭ放送の全ての録画をスキップさせ、タイムシフト録画で記録される放送番組から全てのＣＭ放送を省くことができる。
【図面の簡単な説明】
【００３８】
【図１】本発明の一実施形態によるテレビジョン受像装置の電気ブロック構成図。
【図２】は上記装置のＣＰＵの構成を説明する図。
【図３】上記装置の動作手順を示すフローチャート。
【符号の説明】
【００３９】
１  テレビ放送録画装置
３  チューナ部（受信手段）
４  リモコン装置
４ｂ  一時停止キー（タイムシフト録画指示手段）
４ｄ  時限タイムシフト設定キー（時限タイムシフト機能選択手段）
４ｅ  解除キー（タイムシフト録画解除指示手段）
６  映像音声復調部（受信手段）
７  映像音声記録部（映像音声録画手段）
９  映像音声信号処理部（再生手段）
１３  ＣＰＵ（制御手段）
１３ａ  タイムシフト録画制御部（タイムシフト録画制御手段）
１３ｂ  ＣＭ放送検出部（ＣＭ放送検出手段）
１３ｃ  時限タイムシフト制御部（時限タイムシフト制御手段）
【図１】
2008312131.tif 000003
【図２】
2008312131.tif 000004
【図３】
2008312131.tif 000005